(57)【要約】      （修正有）【課題】蓄電器を備えた太陽光パネルをベランダに設置し自在に可動収納する事が出来る可動式太陽光パネル架台を提供する。【解決手段】可動式太陽光パネル架台Ａは、ベランダ内部に太陽光パネルＢを取り付ける支柱Ａ１、Ａ２を太陽光パネル両側に備え、両側の支柱の下部には台座Ａ７、Ａ８を取付、キャスタＦ１〜Ｆ４を台座下部に取付、自在に動かし固定でき、太陽光パネルを上昇するときエアースプリングＧ３のロッドが伸び手で持ち上げる力を軽減し、太陽光パネル固定した後、太陽光パネルを垂直から斜めに展開し、収容する時は斜めに展開した状態から太陽光パネルを垂直に戻し太陽光パネルを手で持ち床の方向に降下し収容する事ができ、太陽光パネルを床の方向に降下する時、ガススプリングのロッドが縮小し急激な降下を防ぎ上昇降下をスムーズにし、蓄電器Ｚを備えた事を特徴とする。【選択図】図１
0003205571.tif 000002
【実用新案登録請求の範囲】
【請求項１】
キャスター付きの台座と、
前記台座に間隔を置いて立設されている２本の支柱と、
前記２本の支柱に摺動可能に取り付けられた太陽電池支持体と、
前記太陽電池支持体の摺動位置を、高さの異なる少なくとも２箇所に解除可能に固定する固定部材と、
前記太陽電池支持体に、傾斜角を変えることができるように軸支された太陽電池パネルと、
前記台座に対して前記太陽電池支持体を押し上げる方向に付勢するエアースプリングと、
前記太陽電池パネルにより生成された電力を蓄積する電池と、を備える可動式太陽光パネル架台。
【考案の詳細な説明】
【技術分野】
【０００１】    本考案は、蓄電器を備えた太陽光パネルをベランダに設置し自在に可動収納する架台。
【背景技術】
【０００２】従来、ベランダに太陽光パネルを取り付ける方法はある。（例えば、特許文献１参照）天井に取り付けるためベランダ内部に収納し動かす事がでず蓄電機を備えていないため災害時つかえない。
【先行技術文献】
【０００３】
【特許文献】
【特許文献】  特開２００１１−１７３０２１号公報
【考案の概要】
【考案が解決しようとする課題】
【０００４】従来、太陽光パネルをベランダの天井に取り付ける金物はあるが、天井に取り付けるためベランダ内部に収納し動かす事ができず蓄電機を備えていないため災害時つかえない。
【課題を解決するための手段】
【０００５】蓄電器を備えた事を特徴とした可動式太陽光パネル架台は、太陽光パネルの両脇に左支柱Ａ１と右支柱Ａ２をキャスター付台座より設け太陽光パネル両脇の支柱に筒状の金物を通して太陽光パネルを上昇下降する筒状の金物上部で太陽光パネルと接続して両脇の筒状金物下部を連結した連結金物を作動金物と接続し作動金物に接続した動力であるエアースプリングは支柱側面に取付け太陽光パネルの手動によるスムーズな上昇下降を補助する、太陽光パネルを上昇するときは太陽光パネルを垂直で、右支柱Ａ２左支柱Ａ１の中に収納した状態から、太陽光パネルの側面を手で持ち天井の方向に持ち上げ固定した後、太陽光パネルを垂直から斜めに展開し、収容する時は斜めに展開した状態から太陽光パネルを垂直に戻し太陽光パネルの側面を手で持ち床の方向に降下し収容する事ができる、支柱両脇の下部の台座に接続したロック式キャスターのロックを解除する事により自在に移動する事が出来、太陽光パネルの配線に接続した蓄電器を備えた事を特徴とした可動式太陽光パネル架台。【０００６】１）集合住宅のベランダに簡単に設置する事が出来る。
２）キャスターを取り付ける事により自在に移動させる事が出来る。
３）太陽光パネルが昇降するので強風のときベランダの内下部に収納出来る。
４）蓄電器を備えた事で自前の電気が確保できる。
【図面の簡単な説明】
【０００７】
【図１】本考案の可動式太陽光パネル架台の構成（架台の背面からの収納図）
【図２】本考案の可動式太陽光パネル架台の構成（架台の背面からの上昇図）
【図３】本考案の可動式太陽光パネル架台の構成（架台の背面からの展開図）
【図４】本考案の可動式太陽光パネル架台の構成（左支柱Ａ１とエアースプリングＧ３接続の正面と側面図）
【図５】本考案の可動式太陽光パネル架台の構成（エアースプリングＧ３のロッド取付部と可動金物Ｇ２接続の正面と側面図）
【図６】本考案の可動式太陽光パネル架台の構成（左支柱Ａ１と可動金物Ｇ２接続の正面と側面図）
【図７】本考案の可動式太陽光パネル架台の構成（可動金物Ｇ２と可動金物Ｇ１接続の正面と側面図）
【図８】本考案の可動式太陽光パネル架台の構成（可動金物Ｇ１と連結金物Ｅ接続の正面と側面図）
【図９】本考案の可動式太陽光パネル架台の構成（太陽電池支持体Ｄ２上部と太陽光パネルＢ接続の正面と側面図）
【図１０】本考案の可動式太陽光パネル架台の構成（太陽電池支持体Ｄ１上部と太陽光パネルＢ接続の正面と側面図）
【図１１】本考案の可動式太陽光パネル架台の構成（太陽電池支持体Ｄ２下部と連結金物Ｅ接続の正面と側面図）
【図１２】本考案の可動式太陽光パネル架台の構成（太陽電池支持体Ｄ１下部と連結金物Ｅ接続の正面と側面図）
【考案を実施するための形態】
【０００８】蓄電器を備えた事を特徴とした可動式太陽光パネル架台は、
エアースプリングを利用する事で少ない力でベランダ内部に太陽光パネル収納出来る構造を備える事により、昼間、太陽が降り注ぐ時はベランダ上部に展開して発電し電気を得る事が出来、蓄電器を備える事により、停電の時でも灯りを燈す事が出来る、台風、雨の時もベランダ内部に収納する事で太陽光パネルを保護出来、ロック式キャスターを取り付ける事で自在に移動できる。
【０００９】本考案の蓄電器を備えた事を特徴とした可動式太陽光パネル架台の基本動作を説明する。
蓄電器を備えた事を特徴とした可動式太陽光パネル架台は、左支柱Ａ１と右支柱Ａ２を設け左支柱Ａ１と右支柱Ａ２を上部で連結する金物Ｈ４と下部で連結する金物Ｈ３を備えた筐体Ｄと、太陽光パネルを左支柱Ａ１と右支柱Ａ２に沿って垂直移動させる太陽電池支持体Ｄ１とＤ２は太陽光パネルＢを固定接続するボルトを備え、太陽電池支持体は、左支柱Ａ１右支柱Ａ２に沿って移動させる太陽電池支持体Ｄ１Ｄ２を連結金物Ｅで接続し太陽電池支持体Ｄ１とＤ２は太陽光パネルＢを接続固定するボルトＣ３Ｃ４で接続し、太陽電池支持体Ｄ１Ｄ２を、上昇下降させるエアースプリングＧ３に可動金物Ｇ２を接続し可動金物Ｇ１を連結金物Ｅ接続し太陽電池支持体Ｄ１Ｄ２を上昇下降させ、太陽電池支持体に接続した金物上部に取り付けた太陽光パネルからなり、太陽光パネルを上昇するときは太陽光パネルを垂直で、右支柱Ａ２左支柱Ａ１の中に収納した状態から、固定部材Ｃ１Ｃ２を解除し太陽電池支持体Ｄ１Ｄ２に接続した太陽光パネルＢの側面を手で持ち天井の方向に持ち上げる。手で持ち上げる事でエアースプリングＧ３が作動しエアースプリングＧ３に接続した可動金物Ｇ２が上昇し、可動金物Ｇ２に接続した可動金物Ｇ１が上昇し可動金物Ｇ１に接続した連結金物Ｅが、連結金物Ｅに接続した太陽電池支持体Ｄ１Ｄ２をストッパーＡ３Ａ４まで、上昇させ、固定部材Ｃ１Ｃ２で固定した後に太陽電池支持体Ｄ１Ｄ２と太陽光パネルＢを固定するために接続したボルトＣ３Ｃ４を緩め太陽光パネルＢ上部を手でつかみ、手前に引き垂直から斜めに太陽光パネルを展開し、太陽光パネルＢを固定するために接続したボルトＣ３Ｃ４で太陽光パネルＢを固定する。
収容する時は斜めに太陽光パネルを展開した状態から、太陽光パネルＢを固定するために接続したボルトＣ３Ｃ４を緩め太陽光パネルＢ上部を手でつかみ、手前に押し垂直にし太陽光パネルＢを固定するために接続したボルトＣ３Ｃ４を固定し、太陽電池支持体Ｄ１Ｄ２の固定部材Ｃ１Ｃ２を解除し太陽電池支持体Ｄ１Ｄ２に接続した太陽光パネルＢ上部を手でつかみ、床の方向に下げる事でエアースプリングＧ３が作動しエアースプリングＧ３に接続した可動金物Ｇ２が下降し、可動金物Ｇ２に接続した可動金物Ｇ１が下降し可動金物Ｇ１に接続した連結金物Ｅが、連結金物Ｅに接続した太陽電池支持体Ｄ１Ｄ２をストッパーＡ５Ａ４まで降下し太陽電池支持体Ｄ１Ｄ２の固定部材Ｃ１Ｃ２を固定し収容する。移動する場合は、左支柱Ｄ１右支柱Ｄ２の下部の台座Ａ７Ａ８に接続したロック式キャスターＦ１Ｆ３Ｆ２Ｆ４のロックを解除する事により自在に移動する事が出来る、蓄電器を備えた事を特徴とした可動式太陽光パネル架台。
【００１０】以下、蓄電器を備えた可動式太陽光パネル展開、収納を手動で動作する場合について説明する。図１は、蓄電器を備えた可動式太陽光パネル架台（架台の背面からの収納図）の構成を示す。
可動式太陽光パネル架台は、左支柱Ａ１と右支柱Ａ２を設け左支柱Ａ１と右支柱Ａ２を上部で連結する金物Ｈ４と左支柱Ａ１と右支柱Ａ２を下部で連結する金物Ｈ３と下部の台座Ａ７Ａ８に接続したロック式キャスターＦ１Ｆ３Ｆ２Ｆ４のロックを解除する事により自在に移動する事が出来下部の台座Ａ７Ａ８を連結した板の上部に蓄電器を備えた筐体Ｄと、太陽光パネルを左支柱Ａ１と右支柱Ａ２に沿って垂直移動させる太陽電池支持体Ｄ１とＤ２は太陽光パネルＢを固定接続するボルトを備え、太陽電池支持体は、左支柱Ａ１右支柱Ａ２に沿って移動させる太陽電池支持体Ｄ１Ｄ２を連結金物Ｅで接続し太陽電池支持体Ｄ１とＤ２は太陽光パネルＢを接続固定するボルトＣ３Ｃ４で接続し、太陽電池支持体Ｄ１Ｄ２を、上昇下降させるエアースプリングＧ３に可動金物Ｇ２を接続し可動金物Ｇ１を連結金物Ｅ接続し太陽電池支持体Ｄ１Ｄ２を上昇下降させる太陽電池支持体に接続した金物上部に取り付けた太陽光パネルからなり、太陽光パネルを収納した状態である。
【００１１】図２は、蓄電器を備えた可動式太陽光パネル架台（架台の背面からの上昇図）の構成を示す。
太陽光パネルを垂直で、右支柱Ａ２左支柱Ａ１の中に収納した状態から、太陽電池支持体Ｄ１Ｄ２の固定部材Ｃ１Ｃ２を解除し太陽電池支持体Ｄ１Ｄ２に接続した太陽光パネルＢの側面を手で持ち天井の方向に持ち上げる、手で持ち上げる事でエアースプリングＧ３のシリンダーが伸び、エアースプリングＧ３に接続した可動金物Ｇ２が上昇し、可動金物Ｇ２に接続した可動金物Ｇ１が上昇し可動金物Ｇ１に接続した連結金物Ｅが、連結金物Ｅに接続した太陽電池支持体Ｄ１Ｄ２をストッパーＡ３Ａ４まで、上昇させ、太陽電池支持体Ｄ１Ｄ２の固定部材Ｃ１Ｃ２で固定し太陽電池支持体Ｄ１Ｄ２と太陽光パネルＢがボルトＣ３Ｃ４で固定した上昇状態である。
【００１２】図３は、蓄電器を備えた可動式太陽光パネル架台（架台の背面からの展開図）の構成を示す。
太陽電池支持体Ｄ１Ｄ２をストッパーＡ３Ａ４まで、上昇させ、太陽電池支持体Ｄ１Ｄ２の固定部材Ｃ１Ｃ２で固定し太陽電池支持体Ｄ１Ｄ２と太陽光パネルＢを固定するために接続したボルトＣ３Ｃ４を緩め太陽光パネルＢ上部を手でつかみ、手前に引き垂直から斜めに太陽光パネルを展開し、太陽光パネルＢを固定するために接続したボルトＣ３Ｃ４で太陽光パネルＢを固定する展開状態である。
【００１３】図４は、蓄電器を備えた可動式太陽光パネル架台（左支柱Ａ１とエアースプリングＧ３接続の正面と側面図）の構成を示す。
左支柱Ａ１とエアースプリングＧ３は、左支柱Ａ１の側面に穴の開いた金物板Ｅ５を平行に取付、エアースプリングＧ３の取付部を挟み込み穴の開いた金物板Ｅ５とエアースプリングＧ３取付部の穴を○ピンＥ５−２で貫きピンＥ５−２端部を割りピンＷで貫き開き○ピン５−２が抜けないようにしエアースプリングＧ３と左支柱Ａ１の接続部が動く事を表した、正面と側面の図である。
【００１４】図５は、蓄電器を備えた可動式太陽光パネル架台（エアースプリングＧ３のロッド取付部と可動金物Ｇ２接続の正面と側面図）の構成を示す。
可動金物Ｇ２とエアースプリングＧ３のロッド取付部とは、可動金物Ｇ２の側面に穴の開いた金物板Ｅ３を平行に取付、エアースプリングＧ３のロッド取付部を挟み込み穴の開いた金物板Ｅ３とエアースプリングＧ３ロッド取付部の穴を○ピンＥ３−２で貫き○ピンＥ３−２端部を割りピンＷで貫き開き○ピンＥ３−２が抜けないようにしエアースプリングＧ３のロッド取付部と可動金物Ｇ２の接続部が動く事を表した、正面と側面の図である。
【００１５】図６は、蓄電器を備えた可動式太陽光パネル架台（左支柱Ａ１と可動金物Ｇ２接続の正面と側面図）の構成を示す。
左支柱Ａ１と可動金物Ｇ２は、左支柱Ａ１の側面に穴の開いた金物板Ｅ４を平行に取付、可動金物Ｇ２の取付部を挟み込み穴の開いた金物板Ｅ４と可動金物Ｇ２取付部の穴を○ピンＥ４−２で貫き○ピンＥ４−２端部を割りピンＷで貫き開き○ピンＥ４−２が
抜けないようにし左支柱Ａ１と可動金物Ｇ２の接続部が動く事を表した、正面と側面の図である。
【００１６】図７は、蓄電器を備えた可動式太陽光パネル架台（可動金物Ｇ２と可動金物Ｇ１接続の正面と側面図）の構成を示す。
可動金物Ｇ２と可動金物Ｇ１は、可動金物Ｇ２の側面に穴の開いた金物板Ｅ２を平行に取付、可動金物Ｇ１の取付部を挟み込み穴の開いた金物板Ｅ２と可動金物Ｇ１取付部の穴を○ピンＥ２−２で貫き○ピンＥ２−２端部を割りピンＷで貫き開きピンＥ２−２が
抜けないようにし可動金物Ｇ２と可動金物Ｇ１の接続部が動く事を表した、正面と側面の図である。
【００１７】図８は、蓄電器を備えた可動式太陽光パネル架台（可動金物Ｇ１と連結金物Ｅ接続の正面と側面図）の構成を示す。
連結金物Ｅと可動金物Ｇ１は、連結金物Ｅの側面に穴の開いた金物板Ｅ１を平行に取付、可動金物Ｇ１の取付部を挟み込み穴の開いた金物板Ｅ１と可動金物Ｇ１取付部の穴を○ピンＥ１−２で貫き○ピンＥ１−２端部を割りピンＷで貫き開き○ピンＥ１−２が
抜けないようにし連結金物Ｅと可動金物Ｇ１の接続部が動く事を表した、正面と側面の図である。
【００１８】図９は、蓄電器を備えた可動式太陽光パネル架台（太陽電池支持体Ｄ２上部と太陽光パネルＢ接続の正面と側面図）の構成を示す。
太陽電池支持体Ｄ２には、太陽電池支持体Ｄ２を固定する固定部材Ｃ２を側面に備え太陽電池支持体Ｄ２の側面上部に太陽光パネルＢを接続する金物Ｃ６を太陽電池支持体Ｄ２側面より金物を横に出し取付、金物Ｃ６の上部に太陽光パネルＢを展開固定するボルトＣ４を設け
太陽光パネルＢの側面の金物Ｂ２と接続した正面と側面の図である。
【００１９】図１０は、蓄電器を備えた可動式太陽光パネル架台（太陽電池支持体Ｄ１上部と太陽光パネルＢ接続の正面と側面図）の構成を示す。
太陽電池支持体Ｄ１には、太陽電池支持体Ｄ１を固定する固定部材
Ｃ１を側面に備え太陽電池支持体Ｄ１の側面上部に太陽光パネルＢを接続する金物Ｃ５を太陽電池支持体Ｄ１側面より金物を横に出し取付、金物Ｃ５の上部に太陽光パネルＢを展開固定するボルトＣ３を設け
太陽光パネルＢの側面の金物Ｂ２と接続した正面と側面の図である。
【００２０】図１１は、蓄電器を備えた可動式太陽光パネル架台（太陽電池支持体Ｄ２下部と連結金物Ｅ接続の正面と側面図）の構成を示す。
太陽電池支持体Ｄ２連結金物Ｅは、太陽電池支持体Ｄ２の側面に穴の開いた金物板Ｅ６を平行に取付、連結金物Ｅの取付部を挟み込み穴の開いた金物板Ｅ６と連結金物Ｅ取付部の穴を○ピンＥ６−２で貫き○ピンＥ６−２端部を割りピンＷで貫き開き○ピンＥ６−２が抜けないようにし太陽電池支持体Ｄ２連結金物Ｅの接続部が動く事を表した、正面と側面の図である。
【００２１】図１２は、蓄電器を備えた可動式太陽光パネル架台（太陽電池支持体Ｄ１下部と連結金物Ｅ接続の正面と側面図）の構成を示す。
太陽電池支持体Ｄ１連結金物Ｅは、太陽電池支持体Ｄ１の側面に穴の開いた金物板Ｅ７を平行に取付、連結金物Ｅの取付部を挟み込み穴の開いた金物板Ｅ７と連結金物Ｅ取付部の穴を○ピンＥ７−２で貫き○ピンＥ７−２端部を割りピンＷで貫き開き○ピンＥ７−２が抜けないようにし太陽電池支持体Ｄ１連結金物Ｅの接続部が動く事を表した、正面と側面の図である。
【符号の説明】
【００２２】Ａ                蓄電器を備えた事を特徴とした可動式太陽光パネル架台
Ａ１              左支柱
Ａ２              右支柱
Ａ３              上部左ストッパー
Ａ４              上部右ストッパー
Ａ５              下部左ストッパー
Ａ６              下部右ストッパー
Ａ７              左  台座
Ａ８              右  台座
Ｂ                太陽光パネル
Ｂ２              太陽光パネルＢの側面の金物
Ｃ１              左支柱太陽電池支持体固定部材
Ｃ２              右支柱太陽電池支持体固定部材
Ｃ３              左  太陽電池支持体と太陽光パネルを展開固定するボルト
Ｃ４              右  太陽電池支持体と太陽光パネルを展開固定するボルト
Ｃ５              左  太陽電池支持体と太陽光パネルＢを接続する金物
Ｃ６              右  太陽電池支持体と太陽光パネルＢを接続する金物
Ｄ１              左  太陽電池支持体
Ｄ２              右  太陽電池支持体
Ｅ                太陽電池支持体Ｄ１と太陽電池支持体Ｄ２の連結金物
Ｅ１              連結金物Ｅと可動金物Ｇ１の接続部
Ｅ１−２          ○ピン
Ｅ２              可動金物Ｇ２と可動金物Ｇ１接続部
Ｅ２−２          ○ピン
Ｅ３              エアースプリングＧ３のロッド取付部と可動金物Ｇ２接続部
Ｅ３−２          ○ピン
Ｅ４              左支柱Ａ１と可動金物Ｇ２接続部
Ｅ４−２          ○ピン
Ｅ５              左支柱Ａ１とエアースプリングＧ３接続部
Ｅ５−２          ○ピン
Ｅ６              太陽電池支持体Ｄ２下部と連結金物Ｅ接続部
Ｅ６−２          ○ピン
Ｅ７              太陽電池支持体Ｄ２下部と連結金物Ｅ接続
Ｅ７−２          ○ピン
Ｆ１              左支柱台座前方ロック式キャスター
Ｆ２              左支柱台座後方ロック式キャスター
Ｆ３              右支柱台座前方ロック式キャスター
Ｆ４              右支柱台座後方ロック式キャスター
Ｇ１              可動金物
Ｇ２              可動金物
Ｇ３              エアースプリング
Ｈ１              右支柱と台座の筋交
Ｈ２              左支柱と台座の筋交
Ｈ３              左支柱と右支柱を上部で固定する金物
Ｈ４              左支柱と右支柱を下部で固定する金物
Ｗ                割りピン
Ｚ                蓄電器
【図１】
0003205571.tif 000003
【図２】
0003205571.tif 000004
【図３】
0003205571.tif 000005
【図４】
0003205571.tif 000006
【図５】
0003205571.tif 000007
【図６】
0003205571.tif 000008
【図７】
0003205571.tif 000009
【図８】
0003205571.tif 000010
【図９】
0003205571.tif 000011
【図１０】
0003205571.tif 000012
【図１１】
0003205571.tif 000013
【図１２】
0003205571.tif 000014